(57)【要約】【課題】モザイク画作製は、画材として着色別の数個の卵の殻を砕いた破片などを作り、色片を組み合わせ貼り付けて作るなどが一般的な方法である。  本発明は、貼り付けせずに何度でも使用可能となる新画材と作製箱を提供する。【解決手段】モザイク画作製の新画材として、キューブの利用を考案した。キューブは正六面体で、各面着色すると一個で６色に使用でき、顔料を変えると油絵・水彩・日本画風に、同一色系統の濃淡では水墨画やセピア色写真風に、面に彫りを施すと版画風にもなる。磁石に着く材質では、冷蔵庫等平面に張り付けた板状ボンド磁石にモザイク画や字遊びもでき、子供の遊びにも活用できる。  キューブは、合わせて考案した浅い箱型バットの中に並べてモザイク画を作製し、額縁型の蓋（額縁枠）を被せて観賞用となる。キューブは貼り付けないため、箱型バット・額縁枠と共に何度でも使用可能となる。【選択図】図１０
2014184707.tif 000002
【特許請求の範囲】
【請求項１】
モザイク画用キューブ（以下キューブまたはカラーキューブ）
キューブ（正六面体）は、モザイク画を作るためという題目や目的を掲げて、大々的販売や特許の形跡は見当たらず、以下のような特性の発見・発明を持って特許請求の対象（請求理由）になりうると考える。
（１）キューブの大きさは、尺度（センチ・インチ等）と共に任意で、創作目的に応じて細密さを保てる加工可能な微小サイズから壁画等製作用の大サイズまでできる。材質は、木やプラスチックなどの他、鉄などの磁石に付く物質も利用できる。
（２）カラーキューブの色は、光の三原色（赤・青・緑）と絵具や印刷インクの三原色（赤・青・黄）に白と黒を追加して、赤・青・緑・黄・白・黒の６色を基本色系統にできる。補助色系統は、基本色系統の中間色や使用頻度の高い色構成とする。さらに、白黒や赤・青など同一色系統の濃淡を６面に着色したものもできる。
（３）カラーキューブの色数は、色彩のグラデーションをなめらかに表現できるように、２４色は４個のキューブで４グループに、３６色なら６個のキューブ・６グループなどに分けられる。同一色系統の濃淡も、色階段を１２とすると、キューブ数２個で対応できる。
（４）キューブへの着色（塗る・貼る・印刷等）は、同色でも顔料等を変えれば、油絵・水彩・日本画風に、線種や模様を入れてデザイン画風など、仕上がりに多様性をもたらす。
（５）キューブ面は、削りや彫り・溝を表面加工で入れ版画・立体画風も作れる。彫りや溝は深くても、各面の縁に２面や３点以上の高さを残せばキューブとしての使用ができる。また表面加工で角や辺等を適度に削ると、完成モザイク画のキューブ間に隙間ができ手作り風になる。
（６）キューブは、モザイク画作製時には並べるだけ（貼り付けない）なので、再使用や追加しての再利用が何度でも可能になる。
【請求項２】
キューブモザイク画作製箱（箱型バット＋高さ調整台）と額縁枠及びその簡易型
以下請求理由
（１）箱型バットは、大きさ・尺度（センチ・インチ等）共に任意で、並べる最小キューブを２〜３倍の大きさまで利用するなら、内径の縦・横を最小キューブの３倍数で、２で割り切れる長さなどとする。
（２）箱型バットに入れる高さ調整台は、クッション材で上下に伸縮し、最小キューブの２〜３倍の大きさ等まで対応可能となる。使用最小キューブを並べたとき、キューブ上面の高さをバット側面より少し高く調整することで、モザイク画完成後に蓋となる額縁枠窓の透明板でキューブが押され、キューブ並べ面と共に下のクッション材の縮みで沈み、箱型バット側面と同じ高さになる。また画面全体にクッションの反発力がかかり、モザイク画を抑える構造となる。
（３）絵や写真等をモザイク画に再現するため、高さ調整台の面は、キューブを置く上面（透明アクリル板等）と絵や写真を置く下面（不透明プラスチック材等）の間に空間を持つ二重構造とし、空間に絵や写真等を敷き入れ、上面から見る絵や写真の色に合わせてキューブを並べられる。箱型バット側の一側面にも、絵や写真を出し入れする溝穴（高さ調整台の隙間と同じ幅）を付ける。
（４）モザイク画を作製できる許容範囲の小写真等への対応は、箱型バット内径と同寸法の薄紙に写真を張って下敷きにし、写真大の空域を開けた同厚紙を上に敷いて空域に最小キューブを並べ作製する。
（５）額縁枠は、表面窓をアクリル材等の透明板とし一体加工され、キューブの置き皿にもなり、枠表面に彫刻等の飾り加工もできる。簡易箱型バット用額縁枠は、簡易箱型バットの蓋が額縁枠窓の透明板となり、額縁枠内縁がバット本体を枠の外へはみ出すのを押さえる。
（６）モザイク画の完成した箱型バットは、簡易型も共に額縁枠を被せ、箱型バットと額縁枠が容易に外れないように、両者間にマジックテープ付きベルト（布やゴム製等）や留め金具等で留める。さらに吊り下げ紐を通す金具も施す。簡易箱型バット用額縁枠は、側面の高さを蓋付き簡易箱型バットの側面より高くし、簡易箱型バットに被せたとき、簡易箱型バットの底にあてた固定板がバットと共に額縁枠内に入り、一体に見えるようにしてベルト等で固定できる。
（７）簡易箱型バットにも、内箱側面下部に下絵や写真等を出し入れする溝穴が設けてある。側面外側に凸凹が付いた蓋は、簡易箱型バット同士を繋ぎ合せる凸のレールと、凸を嵌める凹の溝を付けたもので、パーツ毎に切り分けた絵複数枚を、簡易箱型バット同数で組み合わせ可能とし、拡大モザイク画として壁画作成等に利用できる。
（８）簡易箱型バットは、底を薄い鉄板等にし、中に板状ボンド磁石を敷くことにより、磁石に付くキューブを並べられる。
【発明の詳細な説明】
【技術分野】
【０００１】  本発明は、モザイク画作製の新画材としてキューブ（正六面体）の利用と、額縁枠を付け観賞用になるキューブモザイク画作製箱の考案である。
新画材のキューブは、各面異なる色や加工とし、これを並べてモザイク画とする。色は、顔料を変えることで油絵・水彩画・日本画風に仕上がり、同一色系統の濃淡にすると水墨画や写真風にもなる。更に線種や模様を入れデザイン画風に、削りや彫りの表面加工を施すと版画風となる。大きさは任意とし、モザイク画の仕上がりの大きさに応じて細密さを保てるように種類を作る。材質は、木やプラスチック等の他、鉄などの磁石に付く物質も利用し板状ボンド磁石に張り付け表現することもできる。
キューブモザイク画作製箱は、箱と中に並べるキューブの高さを調整する台（以下高さ調製台）の組み合わせ（キューブモザイク画作製バット：以下箱型バット）で、キューブによりモザイク画を作成する箱である。高さ調整台は、キューブを並べる透明板の下に下絵や写真を入れる隙間（空間）を作り、その下絵を見ながらキューブを並ベモザイク画に再現できる。完成後は、下絵等は側面の溝穴から抜きとることができる。キューブは、置くだけで貼り付けないため、箱型バットと合わせて何度でも再使用できる。また、板状ボンド磁石を簡易型箱型バットの底に敷く、あるいは冷蔵庫ドア面（平面）などに張り付け、その面上に鉄などの磁石に付く材質のカラーキューブを付け、モザイク画や子供の字遊び等ができる。箱型バットのモザイク画は、額縁型の専用枠（以下額縁枠）を蓋のように被せて、キューブモザイク画を崩さないようにして飾れる。
【背景技術】
【０００２】ルービックキューブ
キューブは、それを組み合わせ大きなキューブにすることで、ルービックキューブなどの知的玩具（特許文献１）（特許文献２）となった。例えば、小キューブの３×３の面を３組合わせて大きなキューブにし、その１面ごとを回転させ、全ての面を同一色にするなど、キューブ面の色あわせとして遊ぶ知的玩具である。
モザイク画
モザイク画やその知的ゲームとして、人物画・動物画のモザイク塗り絵作製（特許文献３）、台紙やシート上でのモザイク画パズル（特許文献４）（特許文献５）、写真や書籍から原画を取り、色彩布片モザイクを粘着シートに貼り付けるもの（特許文献６）、同様に絵柄ベースに粘着層を有する正多角形ピースを貼り付けて絵柄を完成させるモザイク画セット（非特許文献１）などがある。
ジグソーパズル
ジグソーパズルは、写真や絵をいくつかのピースに切り分けておき、再度組み合わせることによって、元の写真や絵を再現させるものであり、平面や立体式などがあるが、基本的に元の写真や絵を再現させる構成で成り立っている（非特許文献２）（非特許文献３）。
額縁および額縁枠
額縁等は、絵画や写真を入れる一般的な物と、立体画や飾り等の厚みを持つ作品を直接入る額がある（特許文献７）。しかしキューブを直接額縁内に並べ、モザイク画として崩さないで飾れる専用の額縁などは見ない。
【先行技術文献】
【特許文献】
【０００３】
【特許文献１】特開２００６−０２０８９９
【特許文献２】特開２０１１−１１５５３３
【特許文献３】特開２００９−２７１９００
【特許文献４】特開平９−１８７５４８
【特許文献５】特開平９−６６１７４
【特許文献６】特開２００６−３１５３８４
【特許文献７】特開２００３−０５４１９７
【非特許文献】
【０００４】
【非特許文献１】実用新案公開平７−５１５７
【非特許文献２】登録実用新案第３００３１８１号
【非特許文献３】登録実用新案第３００００９９号
【発明の概要】
【発明が解決しようとする課題】
【０００５】上記の「［背景技術］」に示した玩具には、以下の固定観念と問題点を感じる。
（１）ルービックキューブは、構成する一個の小キューブの色付き面が大キューブ状態では１〜３面しか使われてなく、他の面の全ては、大キューブの内側の駆動部となり黒色である。ルービックキューブ（大キューブ）を平面に並べてモザイク画を描いたものはあるが、個々の小キューブに分解し、６面全部を色分けや加工してモザイク画用とする着想はない。
（２）モザイク画セットやモザイク塗り絵等は、絵画の作製ではあるが、画素材（布や紙など）を台紙上に貼り付けて完成させる絵で、画素材の利用は一度きりで終わり、基本的に画素材を戻して再使用の着想はない。
（３）ジグソーパズルは、写真や絵画の印刷物が元画となり、これを小さなピースに切り、再度組み合わせ元画を作るものであり、ピースを組む面白さはあるが、絵心を持って無から絵画を描く創作の面白さの着想は無く、個人の持つ写真や絵をジグソーピースにするにも特注するしかない。
（４）一般的な絵画や写真および立体画等の作品の出し入れする額縁は、額縁部分と作品を入れる箱部分及び表面窓（ガラス）が一体形成され、額縁内にキューブを直接並べモザイク画を作製することはむずかしい。
【課題を解決するための手段】
【０００６】  ルービックキューブに対しては、色合わせだけの発想を脱し、個々の小キューブの６面全てに色付けして、モザイク画作製の新画材にする。またモザイク画の大きさに応じてキューブの大きさも変え、はがき大から壁画大まで作製できる。さらに着色の顔料や濃度や種類を変えることで、油絵・水彩画・日本画風に、同一色系統の濃淡にすると水墨画やセピア色写真風に仕上がる。また、斜線や市松などの線種や模様でデザイン画、削りや彫り・溝の大小などの加工を施し版画・立体画風のモザイク画を作製できる。キューブを鉄などの磁石に付く材質にすると、平面上に張り付けた板状ボンド磁石の面上にモザイク画を描いたり、子供の字遊びなどもできる。
従来のモザイク画に対しては、画素材を貼り付けて再使用できない状態を脱し、キューブを並べるだけでモザイク画ができ、手直しも再作製もできる。
ジグソーパズルに対しては、ピース合わせで元画を再現するだけではなく、無から創作モザイク画を描くことができ、さらに個人の持つ下絵や写真を元絵として、それを再現したモザイク画もできる。
額縁に対しては、キューブモザイク画専用額縁を考案する。絵などを入れる本体部分と額縁の枠部分を分離し、本体の箱の中にキューブを並べて、モザイク画完成後に額縁枠を被せ一体型の額縁となるものである。本体の箱には、キューブ高さ調製台を入れ、使用最小キューブの２〜３倍大きいキューブでの作製にも対応できる他、下絵や写真を敷き、上からその絵や写真を見てキューブを並べ、モザイク画に再現できる。また簡易箱型バットとして、バット蓋側面に凸凹を付け、つなぎ合わせて拡大し、壁面に並べられる壁画作製兼用型、及び凸凹無しタイプで、バット底に板状ボンド磁石を敷き、磁石に張り付く鉄などのキューブを並べることも合わせて考案する。額縁枠は、表面窓に透明板（ガラス等）があるものと、簡易箱型バット用のように表面窓に透明板（ガラス等）が無いタイプも考案し利便性を持たせる。
【発明の効果】
【０００７】  キューブ利用によるモザイク画は、糊などで張付けないため、組み直しや異なる色系統のカラーキューブの追加によって、自分で描きたいモザイク画にすることが容易で、汎用性・独自性が広がる。作製は、使用する最小キューブの２〜３倍の大きさまで対応可能な箱型バットと、箱型バットに蓋代わりに被せる額縁枠を設け、キューブ並べから壁掛けまで楽しめる。また、これらのキューブ・箱型バット・額縁枠は再使用ができる。
キューブの各面は、色を原色・淡い色・岩絵具系色および同一色系統の濃淡などにより、油絵・水彩画・日本画・水墨画・セピア色写真風に、斜線や市松など線種や模様を入れデザイン画に、削りや彫り・溝加工を施し版画・立体画風に、また、板状ボンド磁石を冷蔵庫平面等に張り、磁石に付く材質のキューブで、思わぬ場所に自由にモザイク画や字などを描き遊べる。
箱型バットに入れる高さ調製台の隙間に、家族や個人の思い出が詰まった下絵や写真を入れ、上からカラーキューブを並べてモザイク画に復元した後、下絵や写真を取り出し可能にすることで、元の下絵や写真も失うことはない。
キューブ数を増やし、箱型バットと額縁枠を大型に変えれば、拡大モザイク画もできる。
壁面やドア面、襖や屏風を改良して、壁画作製兼用の簡易箱型バット数個を中に組み込む、あるいはキューブ単独を中に直接並べ入れられるようにすることで、モザイク画の壁画やドア画、襖絵や屏風絵の作製も可能となる。
子供には趣味の範囲を広げ、自ら考え絵や字などにすることの楽しさや、色を組み合わせて作る中間色の着想や智恵が生まれ、情操教育の一環になる。
お年寄りには、キューブを並べるため指を使い、微小キューブはピンセットなどでつまみ並べるなどして集中力を高め、絵の構図や色彩も考えることで体や脳を刺激し、四肢や脳の健康維持にも役立つ。また、皆でキューブを並べ、協力してモザイク画を作製することにより、仲間や施設内での連帯感や和が生まれる。
【図面の簡単な説明】
【０００８】
【図１】本発明のモザイク画用カラーキューブ（基本色系統）斜視図
【図２】本発明のモザイク画用カラーキューブ（同一色系統濃淡）斜視図
【図３】本発明のモザイク画用キューブ（線種・模様デザイン系統）斜視図
【図４】本発明のモザイク画用キューブ（削り・彫り・溝の面加工系統）斜視
【図５】本発明のキューブモザイク画作製バット（箱型バット）斜視図
【図６】本発明のキューブ高さ調整台（箱型バット内に入る）  斜視・展開図
【図７】箱型バット＋高さ調整台の横側面（上）と縦側面（下：作業例図）
【図８】本発明のキューブモザイク画用額縁枠の縦表面および縦側面図
【図９】下絵を入れキューブ並べ中の箱型バットと額縁枠を台にする側面図
【図１０】完成モザイク画箱型バットのキューブ面に額縁枠を被せる側面図
【図１１】キューブモザイク画の完成イメージ図
【図１２】狭画用パネルとそれを使用したモザイク画完成イメージ図
【図１３】本発明の簡易箱型バット（上：壁画等作製にも利用）と透明蓋（下）の斜視図
【図１４】本発明の簡易箱型バット用額縁枠（窓部にガラス等透明板無し）
【発明を実施するための形態】
【０００９】（イ）図１〜図４のモザイク画用キューブ（１）（以下キューブまたはカラーキューブ）でモザイク画を描くためには、図５の「キューブモザイク画作製バット」（２）（以下箱型バット）に、図６のキューブ高さ調整台（４）（以下高さ調整台）を入れ、図７の箱型バット（２）＋高さ調整台（４）の：横側面：縦側面のようにする。使用する最小キューブ（１）の高さが箱型バット（２）上端より少し高くなるように、高さ調整用クッション材（スポンジ等）（９）の厚さで調整しておく。
（ロ）図７の箱型バット（２）＋高さ調整台（４）：縦側面の下部には、図８の額縁枠（１２）を台座として図９のように下向きにはめ、箱型バット（２）の安定とキューブ並べ面（５）を作業しやすい高さに保持する。
（ハ）図９の高さ調整台（４）を入れた箱型バット（２）には、キューブ並べ面（アクリル透明板等）（５）にカラーキューブ（１）の希望する色を上面にして、モザイク画になるように並べる。
（ニ）絵や写真を再現する場合は、図７・図９のように下絵や写真等（１１）にあらかじめ表面が剥がれない程度の粘着性を持つテープ等を、縁に挟むように長めに張り付け、高さ調製台入り箱型バット（２）の溝穴（３）から挿入する。これにより図６の高さ調整台（４）の下絵・写真等置面（６）に、隙間（８）を通じて下絵・写真が挿入された形になる。
（ホ）下絵や写真等を挿入した場合は、図７・９のように溝穴（３）から抜き差ししやすいようにテープの端（１１）を出す。高さ調製台上面のキューブ並べ面透明板（５）から下絵等の色を見て、色に合わせてキューブ（１）を並べる。
（ヘ）キューブを並べ終えたら、図１０のようにテープ付き下絵・写真等は箱型バット側壁面の溝穴（３）から引き抜いておく。このときキューブは転がることはなく、下絵・写真等の表面にも傷がつかない。
（ト）キューブモザイク画完成後は、図９の作業台としての額縁枠（１２）を外し、図１０のように額縁枠（１２）を裏返しにして、完成モザイク画の入った箱型バット（２）に被せ、額縁画のようにする。このとき額縁枠窓の透明板（１３）は、並べたキューブ（１）を押し、不透明板（６）下のクッション材（９）を圧縮して沈め、相対的にモザイク画を構成するキューブに反発力が加わり、モザイク画は動かず安定する。
（チ）図１０のように完成後は、額縁枠（１２）と箱型バット（２）が外れないよう、図８の額縁枠側面のマジックテープ（１４）に、額縁枠押えベルト（両端にマジックテープ付きの布やゴム等）（１５）を巻いて固定する。最後に吊下げ紐通し金具（１６）に紐を通して壁面に飾る。
（リ）箱型バット（２）の大きさに対して小さい写真等の場合は、同色の薄紙と厚紙を用意し、写真等を薄紙の中央に貼り、溝穴（３）から下絵・写真入れ隙間（空間）（８）に入れる。高さ調整台のキューブ並べ面（５）には、写真等と同じ大きさの空域に切り抜いた厚紙（狭画用パネル）（１７）を敷き、その空域部の下に見える写真等の色に合わせて、最小カラーキューブを並べると、図１２の狭画用パネル使用モザイク画完成イメージのようになる。ただし、写真等が小さすぎる場合は適さない。
（ヌ）箱型バットは、壁画等の作製にも利用する図１３上図のような簡易箱型バット（１８）も考案した。使用キューブの大きさは、箱型バットで使用するのと同等以上の大きさの一種類に合わせて作る。底面は、磁石が着く薄い鉄板等を張ったものも用意し、鉄板張りには板状ボンド磁石を敷き、磁石に付くキューブを並べられるようにする。また、溝穴（３）も設け下絵等の抜き差しも可能とする。
（ル）図１３下図の簡易箱型バット透明蓋（１９）は、側面に凸凹を付け壁画等作製に用いるタイプと、蓋に凸凹を付けない一般型を作り、用途に応じて使い分ける。蓋の材質は、透明アクリル材等で作る。蓋に凸凹のあるタイプは、表面から見た上側面と右側面にレール状の凸（２０）（２２）を付け、下側面と左側面には凸を受ける溝の凹状（２１）（２３）加工をしておく。この蓋を簡易箱型バットに被せ、透明粘着テープ（メンディングテープ等）で簡易箱型バット（１８）と透明蓋（１９）を固定し、蓋部分の凸レールを凹溝に沿って複数を嵌めてつなげ、大画面モザイク画とし壁画等に利用する。ただし、安全上、壁面には簡易箱型バットを受ける丈夫な木枠を取り付け、その中に組み込むなど工夫がいる。
（ヲ）簡易箱型バット（１８）を単独で壁掛け用にする場合は、図１４の簡易箱型バット用額縁枠（２４）の簡易箱型バット入れ空間（２５）に、凸凹の無い蓋（１９）を被せたバットを入れ、図１４のように額縁枠内縁（２６）でバット上面を、底を固定板（２７）で押さえ、額縁枠内に一体として額縁押さえベルト（１５）で固定する。
【実施例】
【００１０】  モザイク画作製用カラーキューブによって作製されたモザイク画のイメージ図を［図１１］［図１２］に示す。
【産業上の利用可能性】
【００１１】  モザイク画用キューブは、大きさ別・色別・種別に大量に作り、箱型バットや専用額縁枠も合わせて作るため、それらの関係メーカーの操業を推進する。販売面では、小売店・画材店・文房具店・雑貨店などやインターネット等での販売、施設への販売訪問など、流通も合わせて拡販が考えられる。
個人、家庭、学校・保育園や養老院等の施設での玩具や教材として、また施設などでの壁画作製や共同作製作業を通して、人の結びつき効果がある。
子供の情操教育の教材や、老齢者の健康維持のための教具となり、自治体等の理解と支持を得られれば、公的助成などを受けられることも考えられる。
【符号の説明】
【００１２】１  モザイク画用カラーキューブ（基本色系統：赤、青、緑、黄、白、黒）
１  モザイク画用カラーキューブ（同一色系統濃淡）
１  モザイク画用キューブ（線種・模様デザイン系統：太さや濃淡含む）
１  モザイク画用キューブ（削り・彫り・溝など表面加工系統）
２  キューブモザイク画作製バット（箱型バット）
３  下絵・写真の取出し口（溝穴）
４  キューブ高さ調整台（展開図）
５  キューブ並べ面（透明板：アクリル材等）
６  下絵・写真等置面（不透明版）
７  隙間調整棒
８  下絵・写真入れ隙間（空間）
９  高さ調整用クッション材（スポンジ等）
１０箱型バット深さ（並べる最小キューブに合わせた深さ）
１１下絵・写真・テープ等の端
１２額縁枠（縦表面・縦側面）
１３額縁枠窓透明板（アクリル材等）
１４マジックテープ
１５額縁枠・箱型バット押えベルト（布やゴム製マジックテープ付き）
１６吊下げ紐通し金具
１７狭画用パネル（厚紙等で裏面に切り抜き線入り）
１８本発明の簡易箱型バット（壁画等作製にも利用）
１９本発明の簡易箱型バット透明蓋（アクリル材等：側面凸凹タイプ）
２０簡易型箱型バット透明蓋側面凸部（上面・右面）
２１簡易型箱型バット透明蓋側面凹部（下面・左面）
２２側面凸部断面
２３側面凹部断面
２４簡易箱型バット用額縁枠（窓部にガラス等透明板無し）
２５簡易箱型バット入れ空間
２６額縁枠内縁（バット上面押さえ）
２７簡易箱型バット固定板
【受託番号】
【・・・】
【図１】
2014184707.tif 000003
【図２】
2014184707.tif 000004
【図３】
2014184707.tif 000005
【図４】
2014184707.tif 000006
【図５】
2014184707.tif 000007
【図６】
2014184707.tif 000008
【図７】
2014184707.tif 000009
【図８】
2014184707.tif 000010
【図９】
2014184707.tif 000011
【図１０】
2014184707.tif 000012
【図１１】
2014184707.tif 000013
【図１２】
2014184707.tif 000014
【図１３】
2014184707.tif 000015
【図１４】
2014184707.tif 000016